(57)【要約】  【課題】仕切りを必要としない包装パックを提供する。  【解決手段】包装パック１は、複数の食品パック５と、複数の食品パック５を上下二段に包装した外包装材である外袋４とを具備する。外袋４は、略直方体状の包装材本体部７を備える。包装材本体部７の前面部には、食品パック５の位置ずれを防止する位置ずれ防止用突部８を内側への切起しにより一体に形成する。  【選択図】図１
2005289386.tif 000002
【特許請求の範囲】
【請求項１】
被包装物が内側に収容される包装材本体部と、
この包装材本体部に内側への切起しにより一体に形成され、前記被包装物の位置ずれを防止する位置ずれ防止用突部と
を備えることを特徴とする外包装材。
【請求項２】
被包装物が内側に収容される包装材本体部と、
この包装材本体部のうち互いに対向した２つの面部の各々に内側への切起しにより一体に形成され、前記被包装物の位置ずれを防止する位置ずれ防止用突部と
を備えることを特徴とする外包装材。
【請求項３】
複数の被包装物と、
これら複数の被包装物を包装した請求項１または２記載の外包装材と
を具備することを特徴とする包装パック。
【請求項４】
被包装物が食品パックである
ことを特徴とする請求項３記載の包装パック。
【請求項５】
外包装材が外袋である
ことを特徴とする請求項３または４記載の包装パック。
【発明の詳細な説明】
【技術分野】
【０００１】
本発明は、仕切りを必要としない外包装材および包装パックに関するものである。
【背景技術】
【０００２】
従来、例えばかつお削り節が収容された複数の食品パック等の被包装物（内容物）と、これら複数の被包装物を紙製或いは樹脂製等の仕切りで上下二段に仕切って包装した外袋等の外包装材とを具備した包装パックが知られている（例えば、特許文献１参照）。
【特許文献１】特開２００３−３００５５５号公報（第２頁、図１２）
【発明の開示】
【発明が解決しようとする課題】
【０００３】
しかしながら、上記従来の包装パックでは、例えば上段の被包装物が下段の被包装物の間に落ち込まないようにするために仕切りが必ず必要であるため、仕切り自体にコストがかかり、また被包装物を仕切りとともに外包装材内に入れる包装作業に手間がかかり、さらには使用後に仕切りがごみになる等の不具合が生じる。
【０００４】
本発明は、このような点に鑑みなされたもので、仕切りを必要としない外包装材および包装パックを提供することを目的とする。
【課題を解決するための手段】
【０００５】
請求項１記載の外包装材は、被包装物が内側に収容される包装材本体部と、この包装材本体部に内側への切起しにより一体に形成され、前記被包装物の位置ずれを防止する位置ずれ防止用突部とを備えるものである。
【０００６】
そして、包装材本体部に内側への切起しにより一体に形成された位置ずれ防止用突部が被包装物の位置ずれを防止するため、仕切りを必要とせず、よって、仕切り自体にコストがかかり、また被包装物を仕切りとともに外包装材内に入れる包装作業に手間がかかり、さらには使用後に仕切りがごみになる等の不具合が生じることがない。
【０００７】
請求項２記載の外包装材は、被包装物が内側に収容される包装材本体部と、この包装材本体部のうち互いに対向した２つの面部の各々に内側への切起しにより一体に形成され、前記被包装物の位置ずれを防止する位置ずれ防止用突部とを備えるものである。
【０００８】
そして、包装材本体部のうち互いに対向した２つの面部の各々に内側への切起しにより一体に形成された位置ずれ防止用突部が被包装物の位置ずれを防止するため、仕切りを必要とせず、よって、仕切り自体にコストがかかり、また被包装物を仕切りとともに外包装材内に入れる包装作業に手間がかかり、さらには使用後に仕切りがごみになる等の不具合が生じることがない。
【０００９】
請求項３記載の包装パックは、複数の被包装物と、これら複数の被包装物を包装した請求項１または２記載の外包装材とを具備するものである。
【００１０】
そして、仕切りを必要としないため、仕切り自体にコストがかかり、また被包装物を仕切りとともに外包装材内に入れる包装作業に手間がかかり、さらには使用後に仕切りがごみになる等の不具合が生じることがない。
【００１１】
請求項４記載の包装パックは、請求項３記載の包装パックにおいて、被包装物が食品パックであるものである。
【００１２】
そして、食品パックを外包装材で包装した包装パックのコスト低減等を適切に図ることが可能となる。
【００１３】
請求項５記載の包装パックは、請求項３または４記載の包装パックにおいて、外包装材が外袋であるものである。
【００１４】
そして、食品パックを外袋で包装した包装パックのコスト低減等を適切に図ることが可能となる。
【発明の効果】
【００１５】
請求項１に係る発明によれば、包装材本体部に内側への切起しにより一体に形成された位置ずれ防止用突部が被包装物の位置ずれを防止するため、仕切りを必要とせず、よって、仕切り自体にコストがかかり、また被包装物を仕切りとともに外包装材内に入れる包装作業に手間がかかり、さらには使用後に仕切りがごみになる等の不具合が生じることを防止できる。
【００１６】
請求項２に係る発明によれば、包装材本体部のうち互いに対向した２つの面部の各々に内側への切起しにより一体に形成された位置ずれ防止用突部が被包装物の位置ずれを防止するため、仕切りを必要とせず、よって、仕切り自体にコストがかかり、また被包装物を仕切りとともに外包装材内に入れる包装作業に手間がかかり、さらには使用後に仕切りがごみになる等の不具合が生じることを防止できる。
【００１７】
請求項３に係る発明によれば、仕切りを必要としないため、仕切り自体にコストがかかり、また被包装物を仕切りとともに外包装材内に入れる包装作業に手間がかかり、さらには使用後に仕切りがごみになる等の不具合が生じることを防止できる。
【００１８】
請求項４に係る発明によれば、食品パックを外包装材で包装した包装パックのコスト低減等を適切に図ることができる。
【００１９】
請求項５に係る発明によれば、食品パックを外袋で包装した包装パックのコスト低減等を適切に図ることができる。
【発明を実施するための最良の形態】
【００２０】
本発明の一実施の形態を図面を参照して説明する。
【００２１】
図１において、１は包装パックで、この包装パック１は、紙製或いは樹脂製の別部材である仕切りを使用することなく、所望量の被収容物２を充填密封して収容した複数、例えば６つの袋３を３つずつ上下二段にして１つの外包装材である外袋４で包装した２重包装状の袋詰めパック商品である。
【００２２】
なお、被収容物２は、例えばかつお節を幅数ｍｍ〜数ｃｍ程度、長さ数ｍｍ〜１ないし２ｃｍ程度、水分２１％以下（削り節パックのＪＡＳ規格）の細片に切削した食品であるかつお削り節であり、この被収容物２とこの被収容物２を収容した袋３とにて被包装物（内容物）である食品パック５が構成されている。
【００２３】
内袋である袋３は、例えば透明な樹脂フィルム製のもので、略長方形状、例えば上下方向に長手方向を有する略矩形状でかつ略扁平状に形成されている。そして、食品パック５の袋３内には、例えば食品である被収容物２として約３ｇのかつお削り節が充填密封されて収容されている。
【００２４】
一方、外袋４は、例えば透明な樹脂フィルム製の袋状の包装材本体部７を備え、この包装材本体部７の内側には複数、例えば６つの食品パック５が３つずつ上下二段に収容されている。
【００２５】
包装材本体部７は、上下方向に長手方向を有する略直方体状に形成され、この包装材本体部７の前面部の上下方向略中央位置には上段の食品パック５の下端部と接触してこの上段の食品パック５の位置ずれつまり下段の食品パック５の間への落ち込みを防止する位置ずれ防止用突部８が内側への切起しにより一体に形成されている。
【００２６】
位置ずれ防止用突部８は、例えば略半円状のもので、上段の食品パック５すべてを支持する大きさに形成されており、この位置ずれ防止用突部８の先端部が包装材本体部７の後面部に当接している。なお、位置ずれ防止用突部８の突出寸法はその先端部が対向面部である後面部に当接する寸法に設定されているが、先端部が後面部近傍に位置する寸法としてもよい。
【００２７】
また、包装材本体部７の前面部には、位置ずれ防止用突部８と同じ形状の開口部９が位置ずれ防止用突部８の切起しにより形成されて開口している。
【００２８】
そして、被収容物２であるかつお削り節を食する場合は、例えば外袋４の包装材本体部７の上面部を開口してこの包装材本体部７の内側から食品パック５を取り出し、この取り出した食品パック５の袋３の上端側を切り取ってこの袋３内からかつお削り節を出す。包装材本体部７内から食品パック５を取り出す際には、開口部９から包装材本体部７内へ指を挿入して食品パック５を上方へ押し出すことができるため、食品パック５を包装材本体部７内から容易に取り出すことができる。
【００２９】
なお、例えば外袋４の包装材本体部７の前面部を開口部９から切り開いて包装材本体部７の内側から食品パック５を取り出すことも可能である。
【００３０】
また、外袋４内では、上段の食品パック５の下端部が突出状の位置ずれ防止用突部８の上面部と接触して上段の食品パック５が位置ずれ防止用突部８にて下方から支持されているため、上段の食品パック５が下段の食品パック５の間に落ち込むようなことがない。
【００３１】
このように上記一実施の形態によれば、外袋４の包装材本体部７の所定面部に互いに隣合う食品パック５間に挿入されるように内側への切起しにより一体に形成された位置ずれ防止用突部８が仕切りとして機能して食品パック５の位置ずれを防止するため、従来必要であった別体の仕切りを必要とせず、よって、仕切り自体にコストがかかり、また食品パック５を仕切りとともに外袋４内に入れる包装作業に手間がかかり、さらには使用後に仕切りがごみになる等の不具合が生じることを防止できる。
【００３２】
また、位置ずれ防止用突部８の切起しによりできた開口部９を利用して食品パック５を包装材本体部７内から押し出すことができるため、食品パック５を包装材本体部７内から容易に取り出すことができる。
【００３３】
なお、包装パック１は、図２に示すように、略直方体状の包装材本体部７のうち互いに対向した２つの面部、例えば前面部および後面部の各々に内側への切起しにより一体に形成され食品パック５の位置ずれを防止する複数、例えば前後２つの位置ずれ防止用突部８を備えた構成としても、上記実施の形態と同様の作用効果を奏し得る。なお、前側の位置ずれ防止用突部８の先端部と後側の位置ずれ防止用突部８の先端部とは上下に重なり合っている。すなわち、位置ずれ防止用突部８の突出寸法はその先端部が互いに重なる寸法に設定されているが、先端部が互いに隣接する寸法としてもよい。
【００３４】
また、包装パック１は、複数の食品パック５を上下二段にして外袋４で包装したものには限定されず、図３に示すように、複数の食品パック５を左右二列にして外袋４で包装したものでもよく、また図示しないが食品パック５を上下三段以上または左右三列以上並べるようにしてもよい。
【００３５】
さらに、包装パック１は、図４に示すように、複数の食品パック５を上下左右に分けて２行２列の行列状にして外袋４で包装したものでもよく、また図示しないが食品パック５を３行以上或いは３列以上並べるようにしてもよい。なお、図４に示す外袋４の包装材本体部７の前面部には、食品パック５の位置ずれを防止する複数、例えば４つの位置ずれ防止用突部８が互いに隣合う食品パック５間に挿入されるように内側への切起しにより一体に形成されている。
【００３６】
また、いずれの実施の形態においても、包装パック１の外袋４内の食品パック５の数は任意であり、また位置ずれ防止用突部８の数および形状等も任意である。また、位置ずれ防止用突部８を形成する面も、包装材本体部７の側面部、背面部、上面部或いは下面部等、任意である。
【００３７】
さらに、複数の食品パック５を上下二段以上または左右二列以上に包装する外包装材は、外袋４には限定されず、例えば箱或いは缶等でもよく、樹脂製のフィルム以外に金属或いは紙等で形成したもの等でもよい。
【００３８】
また、外包装材の包装材本体部７内に収容する被包装物は、削り節パック等の食品パック５には限定されず、食品パック５以外の物でもよい。
【００３９】
さらに、外包装材の包装材本体部７に位置ずれ防止用突部８の切起しにより開口する開口部９は、広告或いは使用例等を印刷した閉塞材であるシール（図示せず）で閉塞するようにしてもよい。
【図面の簡単な説明】
【００４０】
【図１】本発明の包装パックの一実施の形態を示す斜視図である。
【図２】本発明の包装パックの他の実施の形態を示す斜視図である。
【図３】本発明の包装パックのさらに他の実施の形態を示す斜視図である。
【図４】本発明の包装パックのさらに他の実施の形態を示す斜視図である。
【符号の説明】
【００４１】
１    包装パック
４    外包装材である外袋
５    被包装物である食品パック
７    包装材本体部
８    位置ずれ防止用突部
【図１】
2005289386.tif 000003
【図２】
2005289386.tif 000004
【図３】
2005289386.tif 000005
【図４】
2005289386.tif 000006